(57)【要約】      （修正有）【課題】住宅密集地での練習や深夜の練習を行う際に打撃音を消音させると同時に、装脱着が容易な消音機能付三板を提供する。【解決手段】三板の第２、第３打板３、４の一側下部に第１、第２打撃吸収部５Ａ、５Ｂを設け、第１、第２打撃部６Ａ、６Ｂを打撃する際の衝撃を吸収させ、打撃音を消音させる。一方持ち位置を反転し、第３、第４打撃部６Ｃ、６Ｄが第１、第２打撃受部７Ａ、７Ｂを打撃することにより、消音機能を備えた状態でも打音を発生させることが可能となる。打撃吸収部は、シリコン樹脂やスポンジなど公知の衝撃吸収部材を使用する。【選択図】図３
0003151976.tif 000002
【実用新案登録請求の範囲】
【請求項１】
結束紐により揺動可能に連結された３枚の打片を互いに揺動させ、打撃部を打片に打ち付けられることにより打撃音を発生させる三板において、消音機能を設けたことを特徴とする消音機能付三板。
【請求項２】
前記消音機能は打片の一側下端面に打撃吸収部を設けることを特徴とする、請求項１に記載の消音機能付三板。
【請求項３】
前記消音機能は持ち方の配置を反転させることにより、打音を発生させる場合と消音機能により打音を消音させる場合とを任意に選択できることを特徴とする、請求項１または２に記載の消音機能付三板。
【考案の詳細な説明】
【技術分野】
【０００１】
本考案は、沖縄地方の民謡を歌う際の演奏に用いられる三線（蛇皮線）のリズムを先導する軽打楽器として広く使用されている三板（さんば）において消音機能を備えた三板に関する。
【背景技術】
【０００２】
三板とは、三線の余り木の黒木（黒壇）、あるいはチャーギ（イヌマキ）などの堅い木を加工して得られた3枚の打片を紐でつなぎ、指の間に挟んで打片を弾いて揺動させて打音を発生させる軽打楽器として広く親しまれている。
【０００３】
三板は、沖縄地方の民謡、中でも早いテンポの沖縄独特のスウィングした楽曲を演奏する際の三線の演奏のリズムを先導することはもちろん、あるときは唄者が単に左の指で挟み打つだけでなく右手の5指すべてを用いて、あらゆる方向から細かく軽妙に連打し、演奏をいっそう華やかなものとしている。
【０００４】
従来の三板は図４に表すように、黒木（黒壇）、あるいはチャーギ（イヌマキ）などの堅い木を加工して得られた3枚の各打板２、３、４を、指を挟むための間隔をあけ揺動可能に紐８で結束したものである。
【０００５】
演奏者が打板２、３、４を挟んだり、弾いたりすることにより各打板２、３、４が揺動し、打板２、３、４の一側下端の打撃部６が打撃受部７を打撃し、高い硬度を有する打板２、３、４により打撃音が拡大される。
【０００６】
上記した右手の５指すべてを用いてあらゆる方向から細かく軽妙に連打する独特の演奏方法を習得するために、演奏者は日々の練習を重ねている。
【考案の開示】
【考案が解決しようとする課題】
【０００７】
しかしながら、三板より発せられる打撃音は広い範囲に可聴な音を有するものであり、密接した住宅街や深夜における練習にともなう演奏は付近住民の迷惑となる虞が生じていた。
【０００８】
これを解決する方法として、打撃部６に輪ゴムなどの衝撃吸収材を嵌止させ、打撃部が打撃受部７に当たった衝撃の感触や反動を頼りにリズムを感じ取り、演奏の練習を行っていた。
【０００９】
しかし、必要な場合には打撃音を消音できるものの、打撃音を発生させる場合には衝撃吸収材である輪ゴムを取り外し、打撃音を制限しなければならない場合には再度装着しなければならない煩わしさを伴っていた。
【００１０】
本考案はこれらの問題を解決するためのものであって、消音機能を設けるとともに、消音機能を装着した状態で、演奏者が打撃音を発生させる場合と消音機能により打撃音を発生させない場合とを任意に選択することが可能である消音機能付三板を提供することを目的とする。
【課題を解決するための手段】
【００１１】
上記の目的を達成するため、請求項１において、本考案の三板は消音機能を設けた構成として周囲の迷惑を気にせず練習することが可能となる構成としている。
【００１２】
請求項２において、消音機能として打撃吸収部を設けることにより、打片が演奏者により揺動させ、打撃部が打撃吸収部へ打撃を与える際にも、衝撃が吸収されて打音は発生しない構成としている。
【００１３】
請求項３において、前記消音機能は持ち方の配置を反転させることにより、打撃吸収部の下部の打撃部が打撃受部を打撃することにより打音を発生させることが可能となり、演奏者が打音を発生させる場合と消音機能により打音を消音させる場合とを任意に選択できる構成となっている。
【考案の効果】
【００１４】
以上に説明したとおり、本考案の三板は消音機能を設けているので、住宅密集地や深夜の練習を行う際にも迷惑を恐れることなく練習を行うことが可能となる。
【００１５】
また、打板一側下端面に設けられた打撃吸収部により打音が吸収されるため、演奏者は練習の際には打撃音が発せずとも、打撃部より発せられる衝撃や反動を感じ取りながら練習を行うことが可能となる。
【００１６】
さらに、持ち方の位置を反転させることにより、打撃吸収部の下部の打撃部が打撃受部を打撃させることが可能となるので、従来課題となっていた衝撃吸収部材を装脱着する煩わしさを伴うことなく、演奏者が打音を発生させる場合と消音機能により打音を消音させる場合とを任意に選択することが可能となる。
【考案を実施するための最良の形態】
【００１７】
本考案の三板は打板の一側下部に消音機能である打撃吸収部を設け、演奏者が消音を望む際には打撃部が打撃吸収部に打撃する配置に構えることにより打音が消音される構成としている。
【００１８】
一方、打音を望む際には持ち位置を反転させ打撃吸収部の下部の打撃部が打撃受部を打撃するように構えることにより打音を発生させる構成としており、打撃吸収部を設けた状態で演奏者が打音を発生させる場合と消音させる場合とを任意に選択することが可能となる構成としている。
【実施例１】
【００１９】
以下、本考案の実施の形態について、図を参照して説明する。図１は本考案の三板１の分離斜視図であり、図２は消音を機能させる場合の配置位置を示した側面図、図３は打音を発生させるために持ち方を反転させた際の配置位置を示した側面図である。
【００２０】
図１に示す三板は第１打板２、第２打板３、第３打板４、より構成され、黒木（黒壇）、あるいはチャーギ（イヌマキ）などの堅い木を加工して得られたものであり、同程度の硬度を有する材料であれば金属、もしくは樹脂や竹、木材に金属を被覆したものでも転用が可能である。
【００２１】
第２打板３、第３打板の一側下部には第１打撃吸収部５Ａ、第２打撃吸収部５Ｂが設けられ、打撃吸収部に対時する第１打板２、第２打板３の側下端面には第１打撃部６Ａ、第２打撃部６Bが、設けられている。
【００２２】
各打撃吸収部５Ａ、５Ｂは、第２打板３、第３打板４の一側下部を好適には深さ１ミリ、縦（１０）ミリ、横幅は第２打板３、第３打板４の横幅と同じ寸法を削除し、削除部分にシリコン樹脂や各種弾性樹脂、スポンジなど公知の衝撃吸収部材を埋設する。衝撃吸収材を埋め込む際には、図３にて後述する打音を発生させる場合に第３打撃部６Ｃ、第４打撃部６Ｄが打撃受部７Ａ、７Ｂを打撃する際に衝撃が吸収されないように削除部分をはみ出さないようにすることが望ましい。
【００２３】
また、第１打撃部６Ａと第２打撃部６Ｂは、第１打板２、第２打板３の一側下部を好適には深さ１ミリ、縦５ミリ、横幅は第１打板２、第２打板３の横幅と同じ寸法を削除し、削除部分にシリコン樹脂や各種弾性樹脂、スポンジなど公知の衝撃吸収部材を埋設する。衝撃吸収材を埋め込む際には、図３にて後述する打音を発生させる場合に第３打撃部６Ｃ、第４打撃部６Ｄが打撃受部７Ａ、７Ｂを打撃する際に衝撃が吸収されないように削除部分をはみ出さないようにすることが望ましい。各打撃部６Ａ、６Ｂ、各打撃吸収部５Ａ、５Ｂに埋設する衝撃吸収部材は突出させることも可能である。
【００２４】
消音機能を装備した三板１を、消音機能により打音を消音させる場合（図２）と、打音を発生させる場合（図３）において実際に演奏者の手に装着させた図面にて説明する。
【００２５】
消音機能により打音を消音させる場合には、第１打撃部６Ａと第１打撃吸収部５Ｂ、第２打撃部６Ｂと第２打撃吸収部５Ｂが図２のように接するように各打板２、３、４をずらして配設させる。紐８は演奏者の指の太さ、各打板２、３、４が演奏に最適な位置となるように結束するものとする。
【００２６】
打板２、３、４を図２の配置として、演奏者が打板２、３、４を指で弾くことにより打板２、３、４が揺動し、第１打撃部６Ａが第１打撃吸収部５Ｂに、第２打撃部６Ｂが第２打撃吸収部５Ｂに打撃するが、各打撃吸収部５Ａ、５Ｂが衝撃を吸収することにより打音は消音され、打撃時の衝撃、反動のみが演奏者に伝わる。
【００２７】
一方、打音を発生させる場合には図３のように持ち位置を反転させて、第３打板４の第３打撃部６Ｃが第２打板の第１打撃受部７Ａに、第２打板３の第４打撃部６Ｄが第１打板２の第２打撃受部７Ｂに接触するように各打板２、３、４の位置を配設する。この場合も紐８は演奏者の指の太さ、各打板２、３、４が演奏に最適な位置となるように結束するものとする。
【００２８】
打板２、３、４を図３の配置として、演奏者が打板２、３、４を指で弾くことにより打板２、３、４が揺動し、第３打撃部６Ｃが第１打撃受部７Ａに、第４打撃部６Ｄが第２打撃受部７Ｂに打撃し、打撃の衝撃により打撃音が発生し、軽快なリズムを演奏することが可能となる。
【００２９】
上記の実施例においては三板についての実施例を述べたが、カスタネットやフラメンコなどスペイン舞踊において踊り手自身が舞踊動作に合わせて自ら演奏する軽打楽器への応用も可能となる。
【図面の簡単な説明】
【００３０】
【図１】本考案の三板を分離させた斜視図である。
【図２】本考案の三板において打音を消音させる場合の側面図である。
【図３】本考案の三板において打音を発生させる場合の側面図である。
【図４】従来の三板を示した側面図である。
【符号の説明】
【００３１】
１.三板
２.第１打板
３.第２打板
４.第３打板
５Ａ．第１打撃吸収部
５Ｂ．第２打撃吸収部
６Ａ．第１打撃部
６Ｂ．第２打撃部
６Ｃ．第３打撃部
６Ｄ．第４打撃部
７Ａ．第１打撃受部
７Ｂ．第２打撃受部
８．紐
【図１】
0003151976.tif 000003
【図２】
0003151976.tif 000004
【図３】
0003151976.tif 000005
【図４】
0003151976.tif 000006
【手続補正書】
【提出日】平成21年5月12日(2009.5.12)
【手続補正１】
【補正対象書類名】実用新案登録請求の範囲
【補正対象項目名】全文
【補正方法】変更
【補正の内容】
【実用新案登録請求の範囲】
【請求項１】
結束紐により揺動可能に連結された第１、第２、第３の打板よりなる３枚の打片を互いに揺動させ、打撃部が打撃受部に打ち付けられることにより打撃音を発生させる三板において、第２打板の一側下部に第１打板があたる第1打撃吸収部、第３打板の一側下部に第２打板があたる第２打撃吸収部を設けたことを特徴とする消音機能付三板。
【請求項２】
前記消音機能付三板は、第１打板に第１打撃部、第２打板に第２打撃部、第４打撃部と１打撃吸収部、第３打板に第３打撃部と第２打撃吸収部を有し、第１打撃部が第２打板に対向してあたる位置に第１打撃吸収部、第１打撃部が第２打板に対向してあたらない位置に第４打撃部、第２打撃部が第３打板に対向してあたる位置に第２打撃吸収部、第２打撃部が第３打板に対向してあたらない位置に第３打撃部を設けたことを特徴とする、請求項１に記載の消音機能付三板。
【請求項３】
前記第１打撃部、第２打撃部、第１打撃吸収部および第２打撃吸収部に衝撃吸収部材を設けたことを特徴とする、請求項２に記載の消音機能付三板。
【手続補正２】
【補正対象書類名】明細書
【補正対象項目名】００１１
【補正方法】変更
【補正の内容】
【００１１】
上記の目的を達成するため、請求項１において、本考案の消音機能付三板は、結束紐により揺動可能に連結された第１、第２、第３の打板よりなる３枚の打片を互いに揺動させ、打撃部が打撃受部に打ち付けられることにより打撃音を発生させる三板において、第２打板の一側下部に第１打板があたる第1打撃吸収部、第３打板の一側下部に第２打板があたる第２打撃吸収部を設けた構成としている。
【手続補正３】
【補正対象書類名】明細書
【補正対象項目名】００１２
【補正方法】変更
【補正の内容】
【００１２】
請求項２において、前記消音機能付三板は、第１打板に第１打撃部、第２打板に第２打撃部、第４打撃部と１打撃吸収部、第３打板に第３打撃部と第２打撃吸収部を有し、第１打撃部が第２打板に対向してあたる位置に第１打撃吸収部、第１打撃部が第２打板に対向してあたらない位置に第４打撃部、第２打撃部が第３打板に対向してあたる位置に第２打撃吸収部、第２打撃部が第３打板に対向してあたらない位置に第３打撃部を設けたことを特徴とする、請求項１に記載の消音機能付三板。
【手続補正４】
【補正対象書類名】明細書
【補正対象項目名】００１３
【補正方法】変更
【補正の内容】
【００１３】
請求項３において、前記第１打撃部、第２打撃部、第１打撃吸収部および第２打撃吸収部に衝撃吸収部材を設けた構成としている。